(57)【特許請求の範囲】
【請求項１】
洗濯物が洗濯される洗濯空間を備える第１本体と、
前記空間に水を供給する給水部と、
前記第１本体の上部に装着され、前記水を収容する収容空間及び前記水が前記洗濯空間に流れるように形成される開口領域を含む第２本体と、
前記開口領域を覆って前記第２本体に水が溜まる第１状態及び前記開口領域を露出して前記水と前記洗濯物が通過できる第２状態を実現するカバー部と、
外部から入力される制御命令に基づいて前記第１本体、前記第２本体及び前記カバー部を制御する制御部と、を含み、
前記カバー部は、前記カバー部の移動のための移動ブロックを含み、
前記第２本体の一領域には、前記移動ブロックの移動をガイドするガイド部が形成され、
前記カバー部は、前記第２本体の内周面をスライド移動することにより、前記第１状態から前記第２状態に又は前記第２状態から前記第１状態に切り替えられ、
前記カバー部の底面は、前記第１状態と前記第２状態との切り替え過程で、前記ガイド部側に対向し、
前記給水部は、前記カバー部より上方に設けられる、多機能洗浄器具。
【請求項２】
前記第１本体に前記第２本体が固定されるように前記第１本体と前記第２本体間に形成される結合部と、
前記結合部に前記第１本体と前記第２本体間の振動を緩衝するように形成される緩衝部と、をさらに含む、請求項１に記載の多機能洗浄器具。
【請求項３】
前記制御部は、前記洗濯物が洗濯される前記第１本体において前記洗濯物が洗濯される洗濯モードがアクティブになると、前記振動を緩衝するために前記第１及び第２本体の少なくとも一部が離隔するように制御する、請求項２に記載の多機能洗浄器具。
【請求項４】
前記カバー部は、縁部が当接するように結合される複数の組立部材からなり、
前記第２状態で、前記水が通過するように前記複数の組立部材の結合が解除される、請求項１に記載の多機能洗浄器具。
【請求項５】
前記複数の組立部材は、前記第１本体の内部方向への加圧により前記第２状態に切り替えられる、請求項４に記載の多機能洗浄器具。
【請求項６】
前記第１本体は、前記洗濯空間を形成する洗濯槽をさらに含み、
前記第１本体の内部面と前記洗濯槽の外周面間には、前記水が外部に放出される排水空間が形成され、
前記カバー部は、前記洗濯槽を覆い、前記排水空間に水が流れるように移動する、請求項１に記載の多機能洗浄器具。
【請求項７】
前記制御部は、前記第１本体において前記洗濯物が洗濯される洗濯モードがアクティブになるか否かに基づいて、前記カバー部を前記第１状態又は前記第２状態に制御する、請求項１に記載の多機能洗浄器具。
【請求項８】
前記第１本体が前記洗濯モードの乾燥段階で駆動される場合、前記制御部は、前記第１状態を維持するように前記カバー部を制御する、請求項７に記載の多機能洗浄器具。
【請求項９】
前記制御部は、前記第１状態で前記給水部から水が供給されると、前記洗濯モードを一時的に非アクティブにする、請求項７に記載の多機能洗浄器具。
【請求項１０】
前記カバー部に水が収容されているか否かを検知する検知部と、
前記水が再生可能な状態であるかを分析する分析部と、をさらに含む、請求項１に記載の多機能洗浄器具。
【請求項１１】
前記制御部は、前記水が収容されている場合、前記再生可能な状態であるか否かに基づいて、前記カバー部を前記第１状態又は前記第２状態に制御する、請求項１０に記載の多機能洗浄器具。
【請求項１２】
前記制御部は、前記給水部から水が供給されている場合、前記カバー部を前記第１状態に維持する、請求項１１に記載の多機能洗浄器具。
【請求項１３】
前記制御部は、前記洗濯物が洗濯される洗濯モードの給水段階で、前記カバー部を前記第２状態に切り替える、請求項１１に記載の多機能洗浄器具。
【請求項１４】
前記カバー部は、画像を出力する透明ディスプレイ部を備え、
前記制御部は、前記洗濯モードがアクティブになると、不透明な画像を出力するように前記ディスプレイ部を制御する、請求項１０に記載の多機能洗浄器具。
【請求項１５】
前記制御部は、前記洗濯物が洗濯される洗濯モードがアクティブになると、前記洗濯モードに関する情報を前記ディスプレイ部に出力する、請求項１４に記載の多機能洗浄器具。
【請求項１６】
前記制御部は、前記検知部により前記カバー部に水が予め設定された時間の間収容されていることが検知されると、前記洗濯物が洗濯される洗濯モードの駆動段階に基づいて、前記水を前記第２本体に流出させるように前記カバー部を制御する、請求項１０に記載の多機能洗浄器具。
【請求項１７】
前記制御部は、前記第１本体における前記洗濯物が洗濯される洗濯モードが非アクティブ状態に切り替えられて前記給水部の水の供給が遮断されると、前記第２状態に切り替えるように前記カバー部を制御する、請求項１に記載の多機能洗浄器具。
【請求項１８】
前記カバー部は、前記水が通過するように形成されるホールと、前記ホールへの挿入及び解除が可能に形成される栓と、を含み、
前記栓は、使用者の制御命令に基づいて前記ホールに挿入されるか又はその挿入が解除される、請求項１に記載の多機能洗浄器具。
【請求項１９】
前記制御部は、前記洗濯物が洗濯される洗濯モードがアクティブになっている間、前記洗濯モードの駆動段階に基づいて、前記栓の挿入及び解除状態を制御する、請求項１８に記載の多機能洗浄器具。
【発明の詳細な説明】
【技術分野】
【０００１】
本発明は、衣類を洗濯する洗浄器具であって、モードによって洗面機能を実行する多用途洗浄器具に関する。
【背景技術】
【０００２】
一般に、洗濯機は、家庭内で給水が必要な空間に設けられる。ただし、一人暮らしの住宅が増加するにつれて、生活家電を配置する空間が狭くなっている。よって、近年、小容量の家電製品や簡単かつ迅速に機能が行える製品が好まれる傾向にある。
【０００３】
様々な機能と個性的な形状を有する製品が生産されることにより、様々な製品を相対的に狭い空間に配置することが困難であるという不都合が生じる。
【発明の概要】
【発明が解決しようとする課題】
【０００４】
そこで、本発明の課題は、相対的に狭い空間を効率的に活用できる多用途洗浄器具を提供することにある。
【課題を解決するための手段】
【０００５】
上記本発明の課題を解決するために、本発明の一実施形態による多機能洗浄器具は、洗濯物が洗濯される洗濯空間を備える第１本体と、前記空間に水を供給する給水部と、前記第１本体の上部に装着され、前記水を収容する収容空間及び前記水が前記洗濯空間に流れるように形成される開口領域を含む第２本体と、前記開口領域を覆って前記第２本体に水が溜まる第１状態及び前記開口領域を露出して前記水と前記洗濯物が通過できる第２状態を実現するカバー部と、外部から入力される制御命令に基づいて前記第１本体、前記第２本体及び前記カバー部を制御する制御部とを含む。
【０００６】
本発明の一態様によれば、前記多機能洗浄器具は、前記第１本体に前記第２本体が固定されるように前記第１本体と前記第２本体間に形成される結合部と、前記結合部に前記第１本体と前記第２本体間の振動を緩衝するように形成される緩衝部とをさらに含んでもよい。
【０００７】
本発明の一態様によれば、前記制御部は、前記第１本体において前記洗濯物が洗濯される洗濯モードがアクティブになると、前記振動を緩衝するために前記第１及び第２本体の少なくとも一部が離隔するように制御してもよい。
【０００８】
本発明の一態様によれば、前記カバー部は、前記カバー部の移動のための移動ブロックを含み、前記第２本体の一領域には、前記移動ブロックの移動をガイドするガイド部が形成されるようにしてもよい。
【０００９】
本発明の一態様によれば、前記カバー部は、縁部が当接するように結合される複数の組立部材からなり、前記第２状態で、前記水が通過するように前記複数の組立部材の結合が解除される。
【００１０】
本発明の一態様によれば、前記複数の組立部材は、前記第１本体の内部方向への加圧により前記第２状態に切り替えられる。
【００１１】
本発明の一態様によれば、前記第１本体は、前記洗濯空間を形成する洗濯槽をさらに含み、前記第１本体の内部面と前記洗濯槽の外周面間には、前記水が外部に放出される排水空間が形成され、前記カバー部は、前記洗濯槽を覆い、前記排水空間に水が流れるように移動可能である。
【００１２】
本発明の一態様によれば、前記制御部は、前記第１本体において前記洗濯物が洗濯される洗濯モードがアクティブになるか否かに基づいて、前記カバー部を前記第１状態又は前記第２状態に制御する。
【００１３】
本発明の一態様によれば、前記第１本体が前記洗濯モードの乾燥段階で駆動される場合、前記制御部は、前記第１状態を維持するように前記カバー部を制御する。
【００１４】
本発明の一態様によれば、前記制御部は、前記第１状態で前記給水部から水が供給されると、前記洗濯モードを一時的に非アクティブにするようにしてもよい。
【００１５】
本発明の一態様によれば、前記多機能洗浄器具は、前記カバー部に水が収容されているか否かを検知する検知部と、前記水が再生可能な状態であるかを分析する分析部とをさらに含んでもよい。
【００１６】
本発明の一態様によれば、前記制御部は、前記水が収容されている場合、前記再生可能な状態であるか否かに基づいて、前記カバー部を前記第１状態又は前記第２状態に制御するようにしてもよい。
【００１７】
本発明の一態様によれば、前記制御部は、前記給水部から水が供給されている場合、前記カバー部を前記第１状態に維持するようにしてもよい。
【００１８】
本発明の一態様によれば、前記制御部は、前記洗濯モードの給水段階で、前記カバー部を前記第２状態に切り替えるようにしてもよい。
【００１９】
本発明の一態様によれば、前記カバー部は、画像を出力する透明ディスプレイ部を備え、前記制御部は、前記洗濯モードがアクティブになると、不透明な画像を出力するように前記ディスプレイ部を制御してもよい。
【００２０】
本発明の一態様によれば、前記制御部は、前記洗濯モードがアクティブになると、前記洗濯モードに関する情報を前記ディスプレイ部に出力するようにしてもよい。
【００２１】
本発明の一態様によれば、前記制御部は、前記検知部により前記カバー部に水が予め設定された時間の間収容されていることが検知されると、前記洗濯モードの駆動段階に基づいて、前記水を前記第２本体に流出させるように前記カバー部を制御してもよい。
【００２２】
本発明の一態様によれば、前記制御部は、前記第１本体における前記洗濯物が洗濯される洗濯モードが非アクティブ状態に切り替えられて前記給水部の水の供給が遮断されると、前記第２状態に切り替えるように前記カバー部を制御してもよい。
【００２３】
本発明の一態様によれば、前記カバー部は、前記水が通過するように形成されるホールと、前記ホールへの挿入及び解除が可能に形成される栓とを含み、前記栓は、使用者の制御命令に基づいて前記ホールに挿入されるか又はその挿入が解除されるようにしてもよい。
【００２４】
本発明の一態様によれば、前記制御部は、前記洗濯モードがアクティブになっている間、前記洗濯モードの駆動段階に基づいて、前記栓の挿入及び解除状態を制御するようにしてもよい。
【発明の効果】
【００２５】
本発明においては、狭い空間で洗浄機能又は洗濯機能を用いることができるので、空間活用性が向上し、少量の洗濯物を効率的に洗濯することができる。
【００２６】
また、洗浄器具のモードによって使用された水を再使用するか否かを決定するので、水資源を節約することができる。
【図面の簡単な説明】
【００２７】
【図１】本発明の一実施形態による多用途洗浄器具の斜視図である。
【図２】図１の多用途洗浄器具の分解図である。
【図３ａ】様々な実施形態による状態遷移を説明するための概念図である。
【図３ｂ】様々な実施形態による状態遷移を説明するための概念図である。
【図４】他の実施形態による多用途洗浄器具を説明するための斜視図である。
【図５ａ】一実施形態による状態遷移を制御する制御方法を説明するためのフローチャートである。
【図５ｂ】一実施形態による状態遷移を制御する制御方法を説明するためのフローチャートである。
【図６】多機能洗浄器具の駆動モードに基づいてカバー部を制御する制御方法を説明するためのフローチャートである。
【図７ａ】洗濯槽の駆動状態に基づいた本体部の制御を説明するためのフローチャートである。
【図７ｂ】カバー部に備えられるディスプレイ部の制御方法を説明するための概念図である。
【図８】第１本体部の駆動状態に基づいた第１及び第２本体部の制御を説明するための概念図である。
【発明を実施するための形態】
【００２８】
以下、添付図面を参照して本明細書に開示された実施形態を詳細に説明するが、図面の番号に関係なく同一又は類似の構成要素には同一の符号を付して重複する説明は省略する。以下の説明で用いられる構成要素の接尾辞である「モジュール」及び「部」は、明細書の作成を容易にするために付与又は混用されるものであり、それ自体が有意性や有用性を有するものではない。また、本明細書に開示された実施形態を説明するにあたって、関連する公知技術についての具体的な説明が本明細書に開示された実施形態の要旨を不明にすると判断される場合は、その詳細な説明を省略する。なお、添付図面は本明細書に開示された実施形態を容易に理解できるようにするためのものにすぎず、添付図面により本明細書に開示された技術的思想が制限されるものと解釈されてはならないことに留意すべきである。
【００２９】
図１は本発明の一実施形態による多用途洗浄器具の斜視図であり、図２は図１の多用途洗浄器具の分解図である。図３ａは様々な実施形態による状態遷移を説明するための概念図である。
【００３０】
図１及び図２を参照すると、多用途洗浄器具は、第１本体１００、第２本体２００及び結合部３００を含む。第２本体２００は、第１本体１００上に結合部３００により装着される。第１本体１００と第２本体２００とは、独立した部材からなって結合部３００により連結されるが、多用途洗浄器具が駆動される間、第１本体部１００と第２本体部２００とが分離することはない。
【００３１】
多用途洗浄器具は、第２本体部２００に形成され、第１本体部１００及び第２本体部２００に水を供給する給水部２０３を含む。給水部２０３の形態は図１に示すものに限定されるものではなく、給水部２０３は異なる領域に装着された複数の構造からなるようにしてもよい。
【００３２】
例えば、給水部２０３は、第２本体部２００に装着されて第１本体部１００及び第２本体部２００の両方に水を供給する第１給水構造と、第２本体部２００内に装着されて第２本体部２００にのみ水を供給する第２給水構造とからなる。
【００３３】
第１本体部１００は、内部に洗濯物を洗濯するための洗濯空間１０１を含む。すなわち、洗濯空間１０１には、水と洗剤を用いて衣類などを洗濯する洗濯槽が収納される。
【００３４】
また、第２本体部２００は、水が溜まるように形成される収容空間２０１を含んでもよい。収容空間２０１と洗濯空間１０１とは、連通する構造であり、水が流れるように形成されてもよい。第２本体部２００は、収容空間２０１に水が溜まるようにするカバー部２１０をさらに含む。
【００３５】
カバー部２１０は、第１本体部１００と第２本体部２００間に形成されるか、又は第２本体部２００の一領域に形成される。カバー部２１０は、水の移動状態が異なる第１状態及び第２状態になるように動作する。
【００３６】
ここで、第１状態は、洗濯空間１０１と収容空間２０１とが連通する構造であって、水が収容空間２０１から洗濯空間１０１に流入する状態である。制御部は、カバー部２１０の位置又は使用者の制御命令に基づいて、多用途洗浄器具を第１及び第２状態に切り替えることができる。図１の（ａ）は第１状態を示し、図１の（ｂ）は第２状態を示す。
【００３７】
例えば図１の（ａ）及び（ｂ）に示すように、カバー部２１０は、洗濯空間１０１と収容空間２０１とを分離するように第１及び第２本体部１００、２００に装着される。カバー部２１０は、第１状態で、給水部２０３から流出する水がカバー部２１０及び第２本体部２００に溜まるようにする。
【００３８】
給水部２０３は、第１状態で、第２本体部２００上でカバー部２１０が形成された位置より上方に形成されることが好ましい。よって、第１状態では第２本体部２００に水を供給し、第１状態では第１本体部１００に水を供給することができる。
【００３９】
カバー部２１０の形状は、特に限定されるものではないが、水を溜めることができるように表面が曲面からなり、使用者が水を使用することができるように窪んだ形状であることが好ましい。また、カバー部２１０の形状は、洗濯空間１０１及び収容空間２０１の断面形状に対応する形状であることが好ましい。すなわち、第１状態で、カバー部２１０の外周面は、収容空間２０１を形成する第２本体部２００の外周面の一部に接するようにする。図面には具体的に示していないが、第２本体部２００の外周面には、水の流れを遮断するためのゴム製のパッキングリングが形成されてもよい。
【００４０】
カバー部２１０が移動した第２状態で、カバー部２１０により溜まった水は洗濯空間１０１に流出する。また、第２状態で、給水部２０３により流出する水が洗濯空間に直接流動することができる。
【００４１】
第２本体部２００は、多用途洗浄器具を駆動するための制御命令を受ける制御装置２０２をさらに含んでもよい。多用途洗浄器具を構成する制御部は、制御命令に基づいて、給水部２０３、カバー部２１０、第１本体部１００に形成された洗濯槽を制御したり、第１及び第２状態の切り替えを行うことができる。
【００４２】
図２を参照すると、多用途洗浄器具は、第１本体部１００と第２本体部２００とを組み付けるための結合部３００をさらに含む。結合部３００は、第１本体部１００から突出する第１結合部材３１０と、第１結合部材３１０が挿入されるように第２本体部２００の一領域が凹んで形成される第２結合部材３２０と、第１結合部材３１０に形成される緩衝部３３０とを含む。
【００４３】
緩衝部３３０は、第１結合部材３１０が第２結合部材３２０に挿入された状態で第１結合部材３３０を囲むように形成され、第１及び第２本体部１００、２００間を弾性支持するようにしてもよい。
【００４４】
緩衝部３３０は、第１及び第２本体部１００、２００が結合された状態で、外部に露出するように形成されてもよく、露出しないように形成されてもよい。緩衝部３３０は、弾性材質からなるようにしてもよく、衝撃を吸収する材質からなるようにしてもよい。例えば、緩衝部３３０は、スプリングからなるようにしてもよい。
【００４５】
よって、緩衝部３３０は、第１本体部１００内の洗濯槽が駆動されて洗濯物を洗濯する際に、回転の衝撃（振動）を吸収して第２本体部２００に伝達されないようにする。
【００４６】
図２と図３ａの（ａ）及び（ｂ）を参照して、一実施形態によるカバー部２１０の移動構造について説明する。カバー部２１０は、第２本体部２００の一領域に沿って移動して第１状態を第２状態に切り替えるための移動ブロック２２１を含む。また、第２本体部２００は、内周面に形成され、移動ブロック２２１の一領域に固定されてカバー部２１０の回転（移動）をガイドするガイド部２２２を含む。移動ブロック２２１及びガイド部２２２は、複数で形成されてもよい。すなわち、移動ブロック２２１及びガイド部２２２により、カバー部２１０は、その内面が第２本体部２００の内周面を掠めるように移動して第２状態に切り替えることができる。よって、カバー部２１０に溜まった水が収容空間２０１を介して洗濯空間１０１に流動する。
【００４７】
以下、他の実施形態における第１状態から第２状態に切り替えられる具体例を説明する。
【００４８】
図３ａの（ａ）及び（ｃ）を参照すると、カバー部２１０は、一領域に形成されるホールと、ホールを閉塞するように形成される栓部２１１とを含む。栓部２１１は、ホールを開閉するように形成される。例えば、栓部２１１は、第１状態では、ホールを閉塞してホールから流出する水の流動を遮断し、第２状態では、ホールを開放して水を流出させるように形成される。すなわち、栓部２１１は、第２状態で、カバー部２１０の上部又は下部に移動可能に形成される。例えば、栓部２１１は、使用者により加えられる圧力又は制御装置２０２に入力される制御命令に基づいて移動し、再び復帰することにより、第１及び第２状態の切り替えを行うことができる。
【００４９】
第２状態で、カバー部２１０に溜まった水は、第１本体部１００の洗濯空間１０１に流出する。
【００５０】
ホールは、カバー部２１０の中央に形成されることが好ましい。例えば、カバー部２１０が窪んだ形状からなる場合、ホールから栓部２１１が分離されると、カバー部２１０の中央に集まった水が重力により全て第１本体部１００に向かって流動する。
【００５１】
図３ａの（ａ）及び（ｄ）を参照すると、カバー部２１０は、第２本体部２００の外部に水を排出するが、洗濯空間１０１への移動は遮断された第３状態で、カバー部２１０は、重力方向（すなわち、水が移動する方向）に移動可能に形成される。
【００５２】
例えば、第１本体部１００の洗濯空間１０１は、洗濯槽を収納し、洗濯槽の内部空間と区分される排水空間１０２を備えるようにしてもよい。第３状態で、カバー部２１０は、洗濯槽を閉塞しながら収容空間２０１が排水空間１０２に連通するように移動することができる。洗濯槽の閉塞のために、洗濯空間１０１にカバー部２１０が載置される係止部をさらに形成するようにしてもよく、洗濯槽がカバー部２１０の装着のための装着構造をさらに含むようにしてもよい。
【００５３】
本実施形態によれば、第３状態で、給水部２０３から供給された水は、洗濯槽に移動するのではなく、排水空間１０２を介して別途排水される。
【００５４】
第１状態で、使用者は収容空間２０１及びカバー部２１０により収容された水を使用することができ、第２状態で、使用者は水を排水したり、使用された水又は給水部により給水された水を使用して洗濯槽を駆動させることができ、第３状態で、排水される水が洗濯槽に流れないようにして再使用を防止して排水することができる。
【００５５】
図３ｂを参照して、他の実施形態によるカバー部の構造及び状態遷移について説明する。
【００５６】
図３ｂを参照すると、カバー部２１０は、縁部が当接するように形成される複数の組立部材からなる。カバー部２１０を構成する組立部材の数は、図示のものに限定されるものではない。組立部材は、第１及び第２状態に基づいて、互いに結合されるか又は分離して離隔するように形成されてもよい。
【００５７】
図３ｂの（ａ）及び（ｂ）を参照すると、複数の組立部材は、第１状態で当接するように形成される。すなわち、組立部材は、間隙が生じないようにし、給水部２０３から供給される水の移動を制限する。
【００５８】
図３ｂの（ｂ）を参照すると、複数の組立部材は、使用者による加圧又は制御命令に基づいて、当接していた縁部が離隔するように移動する。ただし、複数の組立部材の各一縁部は、第２状態で第２本体部２００の外周面に接した状態を維持する。
【００５９】
すなわち、複数の組立部材は、第２本体部２００に接した面を基準として所定角度回動し、組立部材の回動に基づいて、カバー部２１０の中心部に水が移動できる開口領域が形成されるように切り替えられる。
【００６０】
あるいは、複数の組立部材は、弾性を有する弾性材質からなるようにしてもよい。よって、カバー部２１０は、使用者の加圧により各組立部材が変形し、当接していた縁部間に間隙が生じることにより水が移動できる開口領域が形成されるようにしてもよい。この場合、使用者による加圧が解除されると、各組立部材が当接する状態に切り替えられる。
【００６１】
本実施形態によれば、カバー部２１０により収容された水が洗濯空間１０１に移動する。
【００６２】
一方、図３ｂの（ｃ）を参照すると、カバー部２１０は、縁部が当接する複数の組立部材からなる。また、複数の組立部材の中心部がそれぞれ上方に向かって突出して開口領域を形成する。
【００６３】
第２本体部２００の縁部の形状に基づいて、複数の組立部材の移動により第２状態又は第３状態に切り替えられるようにすることができる。カバー部２１０を囲む第２本体部２００の一領域が窪んだ形状からなる場合、第２状態に切り替えられる。それに対して、カバー部２１０を囲む第２本体部２００の一領域が狭く形成された場合、第３状態に切り替えられる。
【００６４】
本実施形態によれば、使用者は、カバー部２１０により、収容された水を第１及び第２本体部の外部に流出させることができる。
【００６５】
図４は他の実施形態による多用途洗浄器具を説明するための斜視図である。本実施形態による多用途洗浄器具は、内部空間を備える本体部３１０と、内部空間を開閉するように本体部３１０の一領域に形成されるカバー部３２０とを含む。
【００６６】
本体部３１０の外面は四角形状に形成されるようにしてもよく、内部空間には洗濯物を洗濯するように形成される洗濯槽が収納されるようにしてもよい。
【００６７】
カバー部３２０は、内部空間を分割するように、重力方向に垂直な方向（地面に平行な方向）に形成される本体部の一断面を横切るように形成されてもよい。カバー部３２０は、地面に平行な方向に移動して洗濯槽を開閉するように駆動することができる。カバー部３２０は、使用者の加圧又は制御命令に基づいて駆動することができる。カバー部３２０により内部空間が分割された状態を第１状態と規定し、カバー部３２０により洗濯槽が露出した状態を第２領域と規定することができる。
【００６８】
カバー部３２０は、摺動方式で洗濯槽を露出し、カバー部３２０の摺動により、カバー部３２０の一領域が曲がった状態で本体部３１０の一領域に収納されるか又は本体部３１０の外部に突出するようにしてもよい。
【００６９】
給水部３４０は、本体部３１０のカバー部３２０上の一領域に形成されることが好ましい。本体部３１０は、一領域に形成されてカバー部３２０及び洗濯槽の駆動を制御する制御装置３３０をさらに含んでもよい。
【００７０】
図５ａ及び図５ｂは各実施形態による状態遷移を制御する制御方法を説明するためのフローチャートである。
【００７１】
図５ａを参照して、水の再使用を制御する制御方法について説明する。多用途洗浄器具に備えられた制御部は、使用者による制御命令又は多用途洗浄器具の駆動状態に基づいて、水の移動を制御することができる。
【００７２】
制御部は、カバー部２１０に水が収容されているか否かを判断する（Ｓ１０）。制御部は、カバー部２１０に水が収容されているか否かを判断する検知センサ（図示せず）をさらに含む。検知センサは、カバー部に装着され、収容されている水の重量を検知する圧力センサなどで実現することができる。
【００７３】
制御部は、カバー部２１０に水が収容されていることが検知されると、第１本体部（第１本体部に収納された洗濯槽）が洗濯モードであるか否かを判断する（Ｓ２０）。ここで、洗濯モードとは、洗濯槽により洗濯物が洗濯されている状態、すなわち洗濯槽がアクティブになっている状態を意味する。一方、洗浄モードとは、給水部２０３により供給される水がカバー部２１０により収容されている状態を意味する。
【００７４】
制御部は、洗濯モードの場合、水の収容状態を維持するようにカバー部２１０を制御する（Ｓ３１）。また、洗濯モードが維持される場合、水を排水するようにカバー部を制御する（Ｓ３２）。ここで、水が排水される状態とは、水が洗濯槽に流入するのではなく、排水部を介して捨てられる状態を意味する。
【００７５】
制御部は、洗浄モードの場合、水を再使用するか否かを判断する（Ｓ４０）。ここで、水を再使用するか否かは、使用者による設定に基づいて行われるようにしてもよく、使用者による制御命令に基づいて行われるようにしてもよい。
【００７６】
制御部は、水を再使用することが決定されると、カバー部を第２状態に切り替えて水を洗濯空間１０１に流出させる（Ｓ５１）。すなわち、使用された後にカバー部２１０により溜まった水を洗濯槽に流出させ、洗濯物の洗濯に使用することができる。
【００７７】
ただし、これに限定されるものではなく、水が洗濯槽に移動した後に洗濯槽が駆動されないようにしたり、洗濯槽が排水段階を経る場合、水が再使用されるのではなく排水されるようにしてもよい。
【００７８】
制御部は、水を再使用しないことが決定されると、水を排水するように（Ｓ３２）カバー部２１０を制御する。
【００７９】
以下、多機能洗浄器具の駆動状態によって水の再使用状態を制御する制御方法について説明する。
【００８０】
制御部は、第１本体部１００の洗濯槽が洗濯モードの場合、洗濯モードの駆動段階を判断する（Ｓ２１）。ここで、駆動段階は、給水段階、洗剤投入段階、洗浄段階、濯ぎ段階、脱水段階、乾燥段階などを含む。
【００８１】
制御部は、洗濯モードが給水段階の場合、収容された水の状態を判断する（Ｓ４１）。ここで、収容された水とは、カバー部２１０により流動せずに収容された状態の水を意味する。
【００８２】
また、多機能洗浄器具は、カバー部２１０に収容された水の汚染状態を検知する検知部（図示せず）をさらに含んでもよい。検知部は、カバー部２１０又は第２本体部２００の水が収容される一領域に形成されることが好ましい。
【００８３】
検知部は、水の汚染状態を検知する。例えば、水に溶解している物質を検出して水質を判断したり、水の汚染濃度を検出することができる。例えば、検知部は、生地を損傷させる物質が水に溶解しているか否か、水に混ざった不純物の量などを検出することができる。
【００８４】
制御部は、汚染状態が予め設定された範囲を超えているため汚染された水であると判断された場合、水を排水するようにカバー部２１０を制御するようにしてもよい。
【００８５】
一方、制御部は、汚染状態が予め設定された範囲以下であるため良好な状態であると判断された場合、洗濯モードの洗濯レベルを確認する（Ｓ４２）。
【００８６】
ここで、洗濯レベルは、洗濯される洗濯物の種類又は使用者の設定による洗濯槽の駆動レベルに対応する。例えば、損傷しやすい生地の洗濯レベル（例えば、変形しやすい生地）や、消毒強度を高く設定した洗濯レベル（例えば、ベビー服）などに該当する場合、異なる洗濯レベルで駆動するようにしてもよい。
【００８７】
制御部は、現在駆動中の洗濯槽の洗濯レベルが予め設定された範囲に含まれない場合、収容された水を洗濯空間に供給するようにカバー部２１０を制御するようにしてもよい（Ｓ５２）。
【００８８】
これにより、多機能洗浄器具は、適宜好適な環境で水を再使用することにより、水を節約できるだけでなく、洗濯物の損傷を防止することもできる。
【００８９】
図６は多機能洗浄器具の駆動モードに基づいてカバー部を制御する制御方法を説明するためのフローチャートである。
【００９０】
給水部により水が供給されると（Ｓ１１）、制御部は、洗濯モードであるか洗浄モードであるかを判断する（Ｓ２０）。
【００９１】
制御部は、洗濯モードの場合、カバー部を第１状態に切り替える（Ｓ５３）。よって、洗濯モードの場合、一次的に水の流れを遮断することになる。これにより、洗濯モードの各駆動段階で、水の流入を遮断することができる。
【００９２】
また、制御部は、使用者の制御命令が入力されると、第１状態を第３状態に切り替える（Ｓ５４）。すなわち、使用者は、使用された水を排水するようにカバー部２１０を制御することができる。よって、多機能洗浄器具は、洗濯モードの場合に洗濯槽への水の流入を遮断するので、洗濯槽の駆動が妨害される問題を防止することができる。
【００９３】
一方、洗浄モードの場合、制御部は、入力された使用者の制御命令に基づいて、カバー部を第１〜第３状態のいずれかに切り替えるようにしてもよい（Ｓ５５）。すなわち、使用者は、洗浄モードの場合、カバー部を調整することにより、使用された水を洗濯槽に流入させて再使用したり、排水又は収容することができる。
【００９４】
図７ａは洗濯槽の駆動状態に基づいた本体部の制御を説明するためのフローチャートである。制御部は、第１本体部１００に収納された洗濯槽の駆動状態を確認する（Ｓ２２）。洗濯槽が駆動中の場合、制御部は、カバー部を第１状態に維持する（Ｓ６１）。
【００９５】
すなわち、水はカバー部２１０により洗濯槽に流入しないので、洗濯槽に流入する水による洗濯物の汚染を防止することができる。また、制御部は、カバー部２１０に備えられたディスプレイ部を遮断モードに変更するようにしてもよい（Ｓ６２）。
【００９６】
図７ｂを参照すると、カバー部２１０は、透明ディスプレイ部を備えるようにしてもよい。よって、使用者は、第１状態で第１本体部１００の洗濯空間１０１の状態を検知することができる。
【００９７】
透明ディスプレイ部は、洗濯槽が駆動中の場合、洗濯槽が駆動されている様子を使用者が検知できないように遮断モードに移行する。例えば、遮断モードは、透明ディスプレイ部が不透明な色を有するように、不透明な画像を出力している状態であってもよい。
【００９８】
よって、使用者は、洗濯空間１０１を検知できないので、カバー部２１０を用いて水を収容する場合、第１本体部１００の駆動と独立した状態で洗浄機能を実行することができる。
【００９９】
また、カバー部２１０に備えられたディスプレイ部は、使用者のタッチ入力を受信するタッチ検知部（図示せず）をさらに含んでもよい。ただし、タッチ検知部（図示せず）は、カバー部２１０に水が収容されていない場合にのみアクティブになるように制御してもよい。
【０１００】
つまり、制御部は、ディスプレイ部にタッチ入力が行われると、それを受信し、洗濯槽を制御するために、タッチ入力を受信するグラフィック画像２１０’を出力するようにディスプレイ部を制御することができる。すなわち、カバー部２１０は、第１状態で、水を使用しない場合、洗濯槽を駆動するための制御装置として活用することができる。
【０１０１】
本実施形態によれば、使用者は、透明な材質のカバー部を用いて第１状態で洗濯空間１０１の状態を確認したり、出力される不透明な画像により洗濯槽の駆動と独立して洗浄機能を用いることができ、カバー部にタッチ入力を行って第１状態で洗濯槽を制御することができる。
【０１０２】
図８は第１本体部の駆動状態に基づいた第１及び第２本体部の制御を説明するための概念図である。
【０１０３】
図８を参照すると、洗濯槽の駆動により第１本体部１００が振動する。第１及び第２本体部１００、２００が結合部３００により嵌合された状態で第１本体部１００の振動は第２本体部２００にまで伝達される。
【０１０４】
この場合、制御部は、第１及び第２本体部１００、２００間に離隔空間を形成するように、第２本体部２００を移動させてもよい。例えば、洗濯槽の駆動に基づいて、制御部は、第２本体部２００を重力と反対方向に移動させるように、多機能洗浄器具を制御する。すなわち、多機能洗浄器具は、第２本体部２００を移動させるように形成される支持装置をさらに含んでもよい。
【０１０５】
第１及び第２本体部１００、２００間に離隔空間が形成され、緩衝部３３０により第２本体部２００を支持させた場合、洗濯槽の駆動による振動が緩衝部３３０により緩和される。
【０１０６】
前述した多機能洗浄器具は、上記実施形態の構成や方法に限定されるものではなく、各実施形態の全部又は一部を選択的に組み合わせて構成することで様々に変形することができる。
【産業上の利用可能性】
【０１０７】
本発明の実施形態は、洗浄機能と洗濯機能を実行できる一体型洗浄器具の形態及び制御方法を提案することにより、それに関連する様々な産業分野に適用することができる。
【図１（ａ）】
0006400711.tif 000002
【図１（ｂ）】
0006400711.tif 000003
【図２】
0006400711.tif 000004
【図３ａ】
0006400711.tif 000005
【図３ｂ】
0006400711.tif 000006
【図４】
0006400711.tif 000007
【図５ａ】
0006400711.tif 000008
【図５ｂ】
0006400711.tif 000009
【図６】
0006400711.tif 000010
【図７ａ】
0006400711.tif 000011
【図７ｂ】
0006400711.tif 000012
【図８】
0006400711.tif 000013